(57)【特許請求の範囲】
【請求項１】
梱包箱内に設置され被梱包物を保持する梱包部材において、２つの角筒が互いの一の側面部を当接してなる支持部材と、本体部の両端が略直角に折曲されその断面がコの字状に形成された補助部材とを備え、この補助部材の本体部の両端には端縁部から中心に向かう切込みによって２つの突片部が形成され、前記補助部材は前記支持部材の前記当接した互いの側面部を前記２つの突片部が挟持するように装着されることを特徴とする梱包部材。
【請求項２】
前記支持部材は、２つの角筒の互いに当接する側面部の一部が切除され、この一部が切除された側面部を前記補助部材の２つの突片部が挟持するように装着することで前記補助部材の本体部が前記支持部材の端縁部の外側に突出しないことを特徴とする請求項１記載の梱包部材。
【請求項３】
前記支持部材は、２つの角筒の互いに当接する側面部の一部に前記補助部材の本体部の切込みと嵌合可能な切込みが形成されることを特徴とする請求項１又は請求項２に記載の梱包部材。
【請求項４】
前記支持部材の２つの角筒は、一の部材を折曲して一体に形成されることを特徴とする請求項１乃至請求項３のいずれか１項に記載の梱包部材。
【請求項５】
前記角筒は、その一部を切り欠いて切欠き部とし凹の字状に形成され、前記支持部材は、この２つの角筒を前記切欠き部の外形が符合するように互いの一の側面部を当接してなることを特徴とする請求項１乃至請求項４のいずれか１項に記載の梱包部材。
【発明の詳細な説明】
【技術分野】
【０００１】
本発明は、商品の梱包や包装に使用する段ボール製の梱包部材に係り、特に、構造が簡単で、耐衝撃性にも優れる梱包部材に関する。
【背景技術】
【０００２】
商品を段ボール箱に詰めて運搬する場合、外部からの衝撃を緩和するために、段ボール箱と商品の隙間に緩衝材が配置される。通常、発泡スチロール製のブロックやポリエチレン製の気泡緩衝シートなどの梱包部材が緩衝材として用いられる。しかし、これらの素材は、使用後に箱と分別する必要があり、リサイクルが容易でない。そこで、箱と同じ素材である段ボールから梱包部材を形成する技術が開発され、これまでに、その技術に関する様々な発明や考案が開示されている。
【０００３】
例えば、特許文献１には、「緩衝材」という名称で、電子機器製品などを梱包するときに用いられる緩衝材に関する発明が開示されている。
【０００４】
以下、図６を参照しながら、特許文献１に開示された発明について説明する。
図６は従来技術に係る緩衝材の斜視図である。
図６に示すように、従来技術に係る発明である緩衝材５１は、梱包物の周囲に沿って当接可能に平面形状が略コ字形に形成された３面５４〜５６を有する保持体５２に、梱包物を上下から挟持可能に側面形状が略コ字形に形成された３面５９〜６１を有する支持体５３が交差上に組み付けられて結合された構造となっている。そして、保持体５２の各スリット５７、５８の外側に、保持体５２の内方に向けて突出可能な部分折り返し部６２、６３が形成されている。
上記構造の「緩衝材」においては、保持体５２の左右両側の面５５、５６と支持体５３の上下両側の面６０、６１がそれぞれ２枚の折り返し面を重合して形成され、その強度が高められている。従って、電子機器製品を収容した箱が落下して、電子機器製品を保持している緩衝材に対して大きな垂直方向の衝撃が加えられたとしても、面５５、５６は変形、破損することがない。また、面６０、６１がクッションとなるため、電子機器製品への衝撃が吸収される。
【０００５】
また、特許文献２には「梱包部材」という名称で、上面及び側面から荷重が加わった場合でも箱部の変形を防止するとともに、その衝撃を緩和して被梱包物を保護することができる段ボール製の梱包部材に関する発明が開示されている。
特許文献２に開示された発明は、段ボール板によって箱形に形成された外装箱部と、この外装箱部の内壁及び被梱包物の側面に当接して被梱包物を保持する衝撃緩衝手段とを備え、衝撃緩衝手段は段ボール板を折り曲げることによって形成され互いに嵌合可能な第１の切欠及び第２の切欠がそれぞれ設けられた第１の部材及び第２の部材とから構成される。そして、第１の部材は、上端及び下端に段ボール板を略水平方向に複数回折り曲げて形成される多角形状部を備え、第２の部材は上辺から下辺までの高さが外装箱部の内壁の上端から下端までの高さと略同一であることを特徴とする。
上記構造の「梱包部材」においては、箱部の側面から荷重が加わっても、第１の部材の右端及び左端がそれぞれ箱部の内壁の左端及び右端を保持しているため、箱部の左右方向の変形が防止される。また、箱部の上面に荷重が加わっても、第２の部材の上端及び下端がそれぞれ箱部の内壁の上端及び下端を保持しているため、箱部の上下方向の変形が防止される。
【０００６】
さらに、特許文献３には「段ボール製緩衝材」という名称で、強度に優れ、家電製品等の被梱包物を確実に梱包できる段ボール製緩衝材に関する発明が開示されている。
特許文献３に開示された「段ボール製緩衝材」は、段ボール板を複数回折り返してそれぞれ形成される側壁及び端壁材と、この端壁材を重ね合わせて形成される端壁とを備えるものである。
上記構造の「段ボール製緩衝材」においては、二重構造の端壁材を重ね合わせた端壁が被梱包物を受け止めるため、被梱包物が確実に保持される。
【特許文献１】特開２００２−０８７４７２号公報
【特許文献２】特開２００３−１４６３７６号公報
【特許文献３】特開２００１−０４８１６２号公報
【発明の開示】
【発明が解決しようとする課題】
【０００７】
しかしながら、上述の従来技術である特許文献１に開示された発明においては、外力を受けるべき複数の突起の突出状態がそれぞれ異なっており、外力がこれらの各突起に対して個別に作用するため、突起が一体となって緩衝性能を発揮することができないという課題があった。また、複数の折り返し面を重合して突起を形成しているものの、重合された２面はせん断方向に拘束されていないため、曲げに対する強度が低いという課題があった。さらに、段ボールに保持体や支持体の形状を打ち抜く場合、切欠部やスリットが多いため、歩留まりが悪いという課題があった。
【０００８】
また、特許文献２に開示された発明においては、外部から被梱包物に加わった衝撃を面で受ける構造であるため、緩衝性能が十分でないという課題があった。また、梱包材は、被梱包物による形状の制約を受けるため、汎用性に乏しいという課題があった。
【０００９】
さらに、特許文献３に開示された発明においては、側壁や端壁が基板に対する固定が確実ではないため、強度が十分でないという課題があった。そして、緩衝材の形状が複雑なため、段ボール板を打ち抜いて作成する場合には歩留まりが悪く、また、適用可能な被梱包物の形状が限られるという課題があった。
【００１０】
本発明はかかる従来の事情に対処してなされたものであり、簡単な構造でありながら高い緩衝性能を備え、安価で汎用性に富む梱包部材を提供することを目的とする。
【課題を解決するための手段】
【００１１】
上記目的を達成するため、請求項１記載の発明である梱包部材は、梱包箱内に設置され被梱包物を保持する梱包部材において、２つの角筒が互いの一の側面部を当接してなる支持部材と、本体部の両端が略直角に折曲されその断面がコの字状に形成された補助部材とを備え、この補助部材の本体部の両端には端縁部から中心に向かう切込みによって２つの突片部が形成され、補助部材は支持部材の当接した互いの側面部を２つの突片部が挟持するように装着されることを特徴とするものである。
このような構造の梱包部材においては、補助部材によって２つの角筒の密着性を高めて支持部材の当接した側面部の曲げに対する抗力を向上させると同時に、支持部材の側面部と補助部材の本体部がなす面が互いに垂直に形成されることで更に抗力を発揮するように作用する。また、支持部材から補助部材を取り外すことによって梱包部材は、容易に分解される。
【００１２】
また、請求項２記載の発明は、請求項１記載の梱包部材において、支持部材は、２つの角筒の互いに当接する側面部の一部が切除され、この一部が切除された側面部を補助部材の２つの突片部が挟持するように装着することで補助部材の本体部が支持部材の端縁部の外側に突出しないことを特徴とするものである。
このような構造の梱包部材においては、角筒の外側の側面部の端面と補助部材の本体部とが面一となるため、この部分に加わった力が上記端面と本体部とに分散される。
【００１３】
請求項３記載の発明は、請求項１又は請求項２に記載の梱包部材において、支持部材は、２つの角筒の互いに当接する側面部の一部に補助部材の本体部の切込みと嵌合可能な切込みが形成されることを特徴とするものである。
このような構造の梱包部材においては、角筒の側面部に形成された切込みに補助部材の本体部の切込みを嵌合させることにより、上記側面部のせん断方向のずれが抑制される。
【００１４】
請求項４記載の発明は、請求項１乃至請求項３のいずれか１項に記載の梱包部材において、支持部材の２つの角筒は、一の部材を折曲して一体に形成されることを特徴とするものである。
このような構造の梱包部材においては、部材を無駄に使用することが無いため、歩留まりが向上する。また、支持部材を構成する一の側面は２つの角筒に共通で連続した側面を形成し強度を向上するように作用する。
【００１５】
請求項５記載の発明は、請求項１乃至請求項４のいずれか１項に記載の梱包部材において、角筒は、その一部を切り欠いて切欠き部とし凹の字状に形成され、支持部材は、この２つの角筒を切欠き部の外形が符合するように互いの一の側面部を当接してなることを特徴とするものである。
このような構造の梱包部材においては、切欠き部に被梱包物の一部を載置した場合に、角筒に形成される凹の字状の切欠き部端面が被梱包物の荷重を受けるとともに、外部から加わった衝撃力を緩和させるように作用する。また、凹の字状に形成されてその部分で被梱包物を保持する作用も有する。
【発明の効果】
【００１６】
以上説明したように、本発明の請求項１に記載の梱包部材においては、例えば、段ボール箱と被梱包物との隙間に配置することにより、被梱包物を固定して外部からの衝撃力を緩和することが可能である。また、簡単な構造で分解も容易であるため、汎用性に富み、リサイクル性も良好である。
【００１７】
本発明の請求項２に記載の梱包部材においては、支持部材の角筒外側端面と補助部材の本体部が面一に形成され梱包部材にかかる力が分散されることで梱包部材の強度を高めることができる。
【００１８】
本発明の請求項３に記載の梱包部材においては、２つの角筒において互いに当接する側面部の曲げに対する強度を高めることができる。
【００１９】
本発明の請求項４に記載の梱包部材においては、製造コストを安くすることが可能であると同時に強度も向上させることができる。
【００２０】
本発明の請求項５に記載の梱包部材においては、請求項１乃至４に記載された発明の効果を発揮すると共に、棒状体又は一部に突起部を有する被梱包物を支持あるいは固定することが可能である。
【発明を実施するための最良の形態】
【００２１】
以下に、本発明の最良の実施の形態に係る梱包部材の実施例について説明する。
【実施例１】
【００２２】
実施例１について図１及び図２を用いて説明する（特に請求項５に対応）。
図１は本発明の実施の形態に係る梱包部材の実施例１を構成する支持部材と補助部材の斜視図である。
図１に示すように、本実施例の梱包部材１ａは、２つの角筒３ａからなる支持部材４ａと、２つの端部７を備える本体部６からなる補助部材５とを備えている。角筒３ａは、内側面８ａ、外側面８ｂ、上側面８ｃ及び下側面８ｄの４つの側面部から構成される。そして、内側面８ａ、外側面８ｂ及び上側面８ｃの一部には被梱包物を載置可能に形成される切欠き部２が設けられており、角筒３ａは凹の字状をなしている。また、２つの角筒３ａは図２を参照しながら後述するが、本実施の形態では一枚の材料から作製されるので下側面８ｄを共有することができ、また、互いの内側面８ａ，８ａを当接するように形成されている。なお、本実施の形態において支持部材４ａは、通常、下側面８ｄが底面となるように設置されるものとする。
補助部材５の２つの端部７は略直角に折曲されており、補助部材５の断面はコの字状をなしている。また、端部７には端縁部から中心に向かって切込み９ａが設けられ、この切込み９ａによって端部７には２つの突片部１０が形成されている。そして、２つの角筒３ａにおいて互いに当接する内側面８ａ，８ａを突片部１０によって挟持するべく、補助部材５は支持部材４ａの切欠き部２に装着されている。
【００２３】
このような構造の梱包部材１ａにおいては、内側面８ａ及び外側面８ｂの切欠き部２に形成される端面１６ａ，１６ｂが切欠き部２に載置された被梱包物を保持し、外部から加わった衝撃力を緩和する。また、補助部材５は、２つの角筒３ａの密着性を高めて内側面８ａの曲げ強度を向上させる。さらに、上側面８ｃと垂直をなし、かつ、内側面８ａの端面１６ａと上側面８ｃとの間に配置される補助部材５の本体部６は、上側面８ｃの補強材として作用する。加えて、内側面８ａ及び外側面８ｂに対して垂直に配置される補助部材５の本体部６及び端部７は、ともに内側面８ａ及び外側面８ｂの補強材として作用する。なお、梱包部材１ａは、支持部材４ａから補助部材５を取り外すことによって容易に分解される。
【００２４】
次に、梱包部材１ａの組み立て方法について図２を用いて説明する。
図２（ａ）及び（ｂ）はそれぞれ実施例１の梱包部材の展開図及び外観斜視図であり、（ｃ）は図２（ｂ）のＸ−Ｘ線矢視断面図である。なお、図１の構成要素と同じものについては、同一の符号を付してその説明を省略する。
図２（ａ）に示すように、一枚の段ボール板１１ａに、支持部材４ａ及び補助部材５の外形、補助部材５の切込み９ａに嵌合可能な切込み９ｂ、差込部１３ａ及びスリット１４ａが打ち抜き加工によって形成される。支持部材４ａ及び補助部材５は、この段ボール板１１ａを用いて次のようにして組み立てられる。
まず、段ボール板１１ａから補助部材５及び支持部材４ａを分離し、支持部材４ａの内側面８ａ，８ａを谷折線１２ａで紙面手前側に向かってそれぞれ略直角に谷折する。同様に、上側面８ｃ，８ｃ及び外側面８ｂ，８ｂを谷折線１２ｃ及び谷折線１２ｂの位置で紙面手前側に向かってそれぞれ略直角に順次谷折する。そして、差込部１３ａを下側面８ｄに設けられたスリット１４ａに差込む。これにより、切欠き部２の外形が符合するように内側面８ａにおいて互いに当接する２つの角筒３ａからなる支持部材４ａが形成される。
次に、端部７，７を谷折線１２ｄで紙面手前側に向かってそれぞれ略直角に谷折し、断面コの字状の補助部材５を形成する。そして、図２（ｂ）に示すように、補助部材５を支持部材４ａの切欠き部２に対し、切込み９ａが切込み９ｂに嵌合するように装着する。これにより、切欠き部２において２つの内側面８ａが補助部材５の２つの突片部１０により挟持される。
なお、図２（ｃ）に示すように、スリット１４ａに差込まれる差込部１３ａの長さは下側面８ｄの厚さと略同一であるため、差込部１３ａの端面は下側面８ｄと略面一となる。また、切欠き部２において補助部材５の本体部６と接する内側面８ａの端面１５は、外側面８ｂの端面１６ｂに対して本体部６の厚さ分だけ内側に寸法を短く形成されている。従って、補助部材５の本体部６は切欠き部２に突出することがない。
【００２５】
このような構造の梱包部材１ａにおいては、補助部材５が内側面８ａ，８ａのせん断方向の位置ずれを抑制するという作用を有する。また、切欠き部２において、外側面８ｂの端面１６ｂと補助部材５の本体部６とが面一となるため、この部分に加わった力は端面１６ｂと本体部６とに分散される。さらに、スリット１４ａに差込まれた差込部１３によって、下側面８ｄの面方向に対する内側面８ａの位置が固定される。そして、２つの角筒３ａに共有される下側面８ｄは、支持部材４ａの強度を向上するように作用する。加えて、支持部材４ａの切欠き部２の位置に補助部材５が形成される段ボール板１１ａにおいては、材料に無駄がないため、歩留まりが向上する。
【００２６】
以上説明したように、本実施例の梱包部材１ａにおいては、棒状体又は一部に突起部を有する被梱包物と段ボール箱との隙間に配置し、切欠き部２に被梱包物の一部を載置することによって、被梱包物を保持あるいは固定するとともに、外部からの衝撃力を緩和して被梱包物の破損を防止することが可能である。また、梱包部材１ａは、角筒３ａの外側面８ｂの端面１６ｂと補助部材５の本体部６を面一に形成して梱包部材１ａにかかる力を分散させるとともに、補助部材５によって内側面８ａ，８ａのせん断方向のずれを抑制することで、梱包部材１ａの強度を高めることが可能である。さらに、簡単な構造であるため、用途が広く、また、安価に製造することができる。そして、使用後に容易に分解して分別廃棄できるため、リサイクル性が良い。
【００２７】
本実施例では、２つの角筒３ａを同一形状としているが、これに限定されるものではない。すなわち、２つの角筒３ａは高さや幅がそれぞれ異なっていても良い。また、２つの角筒３ａは本実施の形態においては一枚の材料で形成されるものとしているが、必ずしも一枚の材料で形成される必要はなく、別個独立の角筒３ａを２つ合わせるように形成してもよい。
差込部１３ａ、スリット１４ａ及び切込み９ｂにおいて、その位置や個数は本実施例の場合に限定されるものではなく、適宜変更可能である。さらに、補助部材５の個数は２個に限られるものでなない。例えば、切欠き部２の底部にもう一つ追加装着した構造としても良い。
【実施例２】
【００２８】
実施例２について図３及び図４を用いて説明する（特に請求項１乃至請求項４に対応）。
図３（ａ）は本発明の実施の形態に係る梱包部材の実施例２を構成する支持部材と補助部材の斜視図であり、（ｂ）は梱包部材の外観斜視図である。なお、図１及び図２の構成要素と同じものについては、同一の符号を付してその説明を省略する。
図３（ａ）に示すように、本実施例の梱包部材１ｂは、実施例１の梱包部材１ａにおいて２つの角筒３ａからなる支持部材４ａの代わりに切欠き部を具備していない２つの角筒３ｂからなる支持部材４ｂを備え、２つの角筒３ｂが内側面８ａ，８ａにおいて互いに当接するように形成されるものである。そして、図３（ｂ）に示すように、補助部材５が内側面８ａ，８ａを２つの突片部１０によって挟持するべく支持部材４ｂに装着されることを特徴とする。なお、支持部材４ｂは上側面８ｃ又は下側面８ｄのどちらを底面として設置しても良い。
【００２９】
このような構造の梱包部材１ｂにおいては、内側面８ａ及び外側面８ｂの端面１６ａ，１６ｂが被梱包物を保持又は固定し、外部から加わった衝撃力を緩和する。また、補助部材５は、２つの角筒３ｂの密着性を高めて内側面８ａの曲げ強度を向上するとともに、本体部６及び端部７は実施例１の場合と同様に内側面８ａ、外側面８ｂ及び上側面８ｃの補強材として作用する。さらに、梱包部材１ｂは、支持部材４ｂから補助部材５を取り外すことによって容易に分解される構造となっている。
【００３０】
次に、梱包部材１ｂの組み立て方法について図４を用いて説明する。
図４（ａ）は実施例２の梱包部材の展開図であり、（ｂ）は図３（ｂ）のＹ−Ｙ線矢視断面図である。なお、図１及び図２の構成要素と同じものについては、同一の符号を付してその説明を省略する。
図４（ａ）に示すように、支持部材４ｂ及び補助部材５の外形、補助部材５の切込み９ａに嵌合可能な切込み９ｂ、差込部１３ｂ及びスリット１４ｂが一枚の段ボール板１１ｂに対して打ち抜かれる。なお、支持部材４ｂ及び補助部材５はこの段ボール板１１ｂから、次のようにして組み立てられる。
まず、補助部材５及び支持部材４ｂを段ボール板１１ｂから分離する。次に、支持部材４ｂの内側面８ａ，８ａを谷折線１２ａで紙面手前側に向かってそれぞれ略直角に谷折する。同様に、上側面８ｃ，８ｃ及び外側面８ｂ，８ｂを谷折線１２ｃ及び谷折線１２ｂの位置で紙面手前側に向かってそれぞれ略直角に順次谷折する。最後に、差込部１３ｂを下側面８ｄに設けられたスリット１４ｂに差込む。このようにして、内側面８ａにおいて互いに当接する２つの角筒３ｂからなる支持部材４ｂが形成される。
次に、端部７，７を谷折線１２ｄで紙面手前側に向かってそれぞれ略直角に谷折することにより、断面がコの字状をなす補助部材５を形成する。そして、この補助部材５を支持部材４ｂに対して切込み９ｂに切込み９ａが嵌合するように装着する。これにより、２つの内側面８ａは補助部材５の２つの突片部１０によって挟持される。
なお、図４（ｂ）に示すように、スリット１４ｂに差込まれる差込部１３ｂの長さは下側面８ｄの厚さと略同一であるため、差込部１３ｂの端面は下側面８ｄと略面一となる。また、内側面８ａの端面１５は外側面８ｂの端面１６ｂに対して、補助部材５の本体部６の厚さ分だけ内側に寸法を短く形成されている。従って、補助部材５の本体部６は支持部材４ｂの外郭線から外側に突出することがない。
【００３１】
このような構造の梱包部材１ｂにおいては、補助部材５によって内側面８ａ，８ａのせん断方向のずれが抑制される。また、外側面８ｂの端面１６ｂと補助部材５の本体部６とが面一となるため、この部分に加わった力は端面１６ｂと本体部６とに分散される。さらに、下側面８ｄの面方向に対する内側面８ａの位置は、スリット１４ｂに差込まれた差込部１３によって固定される。そして、２つの角筒３ｂにおいて共有される下側面８ｄは、支持部材４ｂの強度を向上するように作用する。加えて、梱包部材１ｂは、支持部材４ｂから補助部材５を取り外すことにより容易に分解される。
【００３２】
以上説明したように、本実施例の梱包部材１ｂにおいては、段ボール箱と被梱包物との隙間に配置することによって、被梱包物を保持あるいは固定するとともに、外部からの衝撃力を緩和して被梱包物の破損を防止することが可能である。また、梱包部材１ｂは、角筒３ｂの外側面８ｂの端面１６ｂと補助部材５の本体部６を面一に形成して梱包部材１ｂにかかる力を分散させるとともに、補助部材５によって内側面８ａ，８ａのせん断方向のずれを抑制することで、梱包部材１ｂの強度を高めることが可能である。さらに、構造が簡単であるため、汎用性があり、製造コストを安くすることができる。加えて、使用後の分別廃棄作業が容易である。
【００３３】
本実施例では、２つの角筒３ｂを同一形状としているが、例えば、高さや幅が異なる構造としても良い。また、差込部１３ｂ、スリット１４ｂ及び切込み９ｂの位置及び個数は、適宜変更可能である。２つの角筒３ｂも一枚の材料で形成される必要はなく、別個独立に形成してもよい。
【実施例３】
【００３４】
実施例３について図５を用いて説明する。
図５（ａ）及び（ｂ）はそれぞれ実施例３の梱包部材の展開図及び外観斜視図であり、（ｃ）は図５（ｂ）のＺ−Ｚ線矢視断面図である。なお、図１乃至図４の構成要素と同じものについては、同一の符号を付してその説明を省略する。
図５（ａ）に示すように、本実施例の梱包部材１ｃは、実施例１の支持部材４ａにおいて補助部材５の切込み９ａと嵌合可能な切込み９ｃが外側面８ｂの１つに設けられた構造となっている。なお、梱包部材１ｃの組み立て方法については、梱包部材１ａと同一のため、説明を省略する。
図５（ｂ）及び（ｃ）に示すように、このような構造の梱包部材１ｃにおいては、突片部１０で外側面８ｂ，８ｂを挟持するように補助部材５を装着することにより、２つの支持部材４ｃを連結することができる。なお、この場合、２つの支持部材４ｃは、せん断方向のずれが抑制されるため、梱包部材１ａを単に２つ並べて配置する場合に比べて、格段に強度が高くなる。
【００３５】
本実施例では、外側面８ｂの１つに切込み９ｃを設けているが、これに限定されるものではなく、２つの外側面８ｂに切込み９ｃを設けるようにしても良い。この場合、３つ以上の梱包部材１ｃを連結することが可能となる。
このように外側面に１あるいは２の切込みを設けた梱包部材をユニットとすれば、１の梱包部材としても使用が可能であるし、強度が要求される場合には連結して相当の強度を担保することも可能であり、梱包のニーズに対して柔軟な対応が可能となる。
【産業上の利用可能性】
【００３６】
以上説明したように、請求項１乃至請求項５に記載された発明は、日用品だけでなく、重量のある機械部品を段ボール箱に入れて梱包する場合にも適用可能である。
【図面の簡単な説明】
【００３７】
【図１】本発明の実施の形態に係る梱包部材の実施例１を構成する支持部材と補助部材の斜視図である。
【図２】（ａ）及び（ｂ）はそれぞれ実施例１の梱包部材の展開図及び外観斜図であり、（ｃ）は図２（ｂ）のＸ−Ｘ線矢視断面図である。
【図３】（ａ）は本発明の実施の形態に係る梱包部材の実施例２を構成する支持部材と補助部材の斜視図であり、（ｂ）は梱包部材の外観斜視図である。
【図４】（ａ）は実施例２の梱包部材の展開図であり、（ｂ）は図３（ｂ）のＹ−Ｙ線矢視断面図である。
【図５】（ａ）及び（ｂ）はそれぞれ実施例３の梱包部材の展開図及び外観斜図であり、（ｃ）は図５（ｂ）のＺ−Ｚ線矢視断面図である。
【図６】従来技術に係る緩衝材の斜視図である。
【符号の説明】
【００３８】
１ａ〜１ｃ…梱包部材  ２…切欠き部  ３ａ〜３ｃ…角筒  ４ａ〜４ｃ…支持部材  ５…補助部材  ６…本体部  ７…端部  ８ａ…内側面  ８ｂ…外側面  ８ｃ…上側面  ８ｄ…下側面  ９ａ〜９ｃ…切込み  １０…突片部  １１ａ〜１１ｃ…段ボール板  １２ａ〜１２ｄ…谷折線  １３ａ，１３ｂ…差込部  １４ａ，１４ｂ…スリット  １５，１６ａ，１６ｂ…端面  ５１…緩衝材  ５２…保持体  ５３…支持体  ５４〜５６…面  ５７、５８…スリット  ５９〜６１…面  ６２、６３…部分折り返し部
【図１】
0004719548.tif 000002
【図２】
0004719548.tif 000003
【図３】
0004719548.tif 000004
【図４】
0004719548.tif 000005
【図５】
0004719548.tif 000006
【図６】
0004719548.tif 000007